(57)【要約】【課題】巻線とこれを支持する支持部の同時切断時、切断工具が端子受部の外側面を一緒に削ることなく、支持部が端子受部からは確実に切り離された電動機固定子を提供することを目的とする。【解決手段】本電動機固定子は、巻線と口出線を接続する圧縮端子を収容する端子収容部と、この端子収容部の外側面から突出し巻線を支持する支持部と、この支持部の支持面より下方の外側面に逃げ用凹部が設けられ、かつ端子受部の端子収容部を貫通し支持部に支持された巻線は、その端部と支持部が巻線側から切断工具により同時に切断されている。【選択図】  図９
2006180575.tif 000002
【特許請求の範囲】
【請求項１】
固定子鉄心に巻回された巻線の端部と口出線または巻線の中性点同士を、固定子鉄心の端面に設けられた端子受部に収容される圧接端子で接続するようにした電動機固定子において、前記端子受部は圧接端子を収容する端子収容部と、前記端子受部の高さ方向中間部においてその外側面から突出し巻線を支持する支持部と、この支持部の支持面より下方の外側面に逃げ用凹部が設けられ、かつ前記端子収容部を貫通し前記支持部に支持された前記巻線は、その端部と前記支持部が前記巻線側から切断工具により同時に切断されたことを特徴とする電動機固定子。
【発明の詳細な説明】
【技術分野】
【０００１】
本発明は密閉型圧縮機等に使用される電動機固定子の製造方法に係り、特に巻線と口出線を接続する圧接端子を収容する端子収容部の構造を改良した電動機固定子に関する。
【背景技術】
【０００２】
従来、固定子鉄心に巻回された巻線の端部と口出線または巻線の中性点同士を、固定子鉄心の端面に設けられた端子受部に収容される圧接端子で接続するようにした電動機固定子が知られている（例えば、特許文献１）。
【０００３】
このような圧接端子で接続するようにした電動機固定子の製造時、端子受部の外側面からはみ出た巻線端部を外側面と同一面にするために切断する工程がある。
【０００４】
図１０（ａ）、（ｂ）に示すように、従来の端子受部６１は外側面６１ａに巻線３の端部を支持する支持部６１ｄを突出させ、切断工具８により、巻線３と支持部６１ｄを同時に切断するようにしている。しかしながら、従来の端子受部６１は、支持部６１ｄの上下の外側面６１ａが同一面であるため、切断工具８及び各部材の位置関係のバラツキにより、切断工具８により巻線３と支持部６１ｄを切断する際、外側面６１ａも一緒に削ってしまい、切断された支持部（切断片）６１ｄが薄皮一枚で端子受部６１に付着したまま後の工程に送られ、そのまま密閉型圧縮機等に組込まれてしまう不具合があった。
【特許文献１】特開２００１−３１４０５５号公報
【発明の開示】
【発明が解決しようとする課題】
【０００５】
本発明は上述した事情を考慮してなされたもので、巻線とこれを支持する支持部の同時切断時、切断工具が端子受部の外側面を一緒に削ることなく、支持部が端子受部からは確実に切り離された電動機固定子を提供することを目的とする。
【課題を解決するための手段】
【０００６】
上述した目的を達成するため、本発明に係る電動機固定子は、固定子鉄心に巻回された巻線の端部と口出線または巻線の中性点同士を、固定子鉄心の端面に設けられた端子受部に収容される圧接端子で接続するようにした電動機固定子において、前記端子受部は圧接端子を収容する端子収容部と、前記端子受部の高さ方向中間部においてその外側面から突出し巻線を支持する支持部と、この支持部の支持面より下方の外側面に逃げ用凹部が設けられ、かつ前記端子収容部を貫通し前記支持部に支持された前記巻線は、その端部と前記支持部が前記巻線側から切断工具により同時に切断されたことを特徴とする。
【発明の効果】
【０００７】
本発明に係る電動機固定子によれば、巻線とこれを支持する支持部の同時切断時、切断工具が端子受部の外側面を一緒に削ることなく、支持部が端子受部からは確実に切り離された電動機固定子を提供することができる。
【発明を実施するための最良の形態】
【０００８】
以下、本発明の一実施形態に係る電動機固定子について添付図面を参照して説明する。
【０００９】
図１は本発明の一実施形態に係る電動機固定子が用いられた密閉形圧縮機の縦断面図、図２は本実施形態に係る電動機固定子の平面図である。
【００１０】
図１に示すように、密閉形圧縮機２１は密閉ケース２２に本実施形態に係る電動機固定子１を用いた電動機部２３と、この電動機部２３によりクランクシャフト２４を介して回転駆動されるロータリ式圧縮機部２５を収容してなっている。そして、クラスター端子２６、口出線４を介して電動機固定子１に給電されると、電動機部２３の電動機回転子２７、クランクシャフト２４が回転し、密閉ケース２２に設けられた吸込管２８から吸い込んだ冷媒ガスを圧縮機部２５で圧縮し、吐出管２９を介して密閉ケース２２外に吐出するようになっている。
【００１１】
図２に示すように、本実施形態に係る電動機固定子１は、固定子鉄心２と、この固定子鉄心２に巻回された巻線３と、この巻線３に接続された上記口出線４を備えている。
【００１２】
固定子鉄心２は筒状の継鉄部の内面に例えば６個の磁極歯（図示せず）が突出して形成され、この磁極歯を含む固定子鉄心２の軸方向端面２ａに絶縁材例えば合成樹脂からなり、リング形状の端子板５が設けられている。磁極歯にはそれぞれ巻線３が巻装されている。そして、端子板５には、巻線３に対応してそれぞれの近傍に端子受部６が円周上に配置されて６個立設されている。
【００１３】
これらの巻線３は、図示しない巻線機が周方向を３等分した位置にそれぞれ巻線ノズルを有し、これらの巻線ノズルを駆動して、最初に図２右側の３個の磁極歯に巻線３を巻装し、次に巻線ノズルを周方向に１８０度回転させて残りの３個の磁極歯に巻線３を巻装することを前提として、端子受部６を配置したものである。また、端子受部６に設けられ巻線３を収容する巻線収容溝６ａを全て中心から径方向外側に向けて形成することにより、各巻線３の端末は放射状に収容されることになる。
【００１４】
また、この巻線３と口出線４の接続は、圧接端子７を用いて行われている。
【００１５】
図３に示すように、この圧接端子７は金属製であり、口出線４と巻線３が直交する状態になるように、その上部の口出線圧接部７ａに口出線４が挿入され開口幅が漸減するＵ字状の口出線用溝７ｂが設けられ、下部に巻線圧接部７ｃに巻線３が挿入され開口幅が漸減するＵ字状の巻線用溝７ｄが口出線用溝７ｂと直交して設けられている。
【００１６】
図４〜図６に示すように、端子受部６は側面視縦長二等辺台形形状をなし、この端子受部６には圧接端子７及び巻線３を収容する巻線収容部６ａと、圧接端子７の巻線圧接部７ｃが係合して圧接端子７を端子受部６に取り付けるために用いられ巻線収容部６ａの径方向の途中に設けられた矩形状の係合溝６ｂと、端子受部６の高さ方向中間部において端子受部６の外側面６ｃから突出し、巻線３を支持する支持部６ｄと、この支持部６ｄの支持面６ｄ１の下方例えば支持部６ｄの下側面６ｄ２の下方の外側面６ｃに深さ(外側面６ｃとの段差)が０．１ｍｍ以上の逃げ用凹部６ｅが設けられている。なお、この逃げ用凹部６ｅは図７に示すように、支持部６ｄの側面まで延長して形成し、支持面６ｄ１の下方の外側面６ｃに設けられるようにしてもよい。
【００１７】
図８に示すように、従って、巻線３及び口出線４が圧接状態で取り付けられた圧接端子７は、固定子鉄心２の端面２ａに取り付けられた端子受部６に収容されて、端面２ａに取り付けられている。このような取り付け状態で、巻線３は巻線収容部６ａを貫通して端子受部６の内周側に引き込まれた部分は内周面に沿って軸方向内側に折り曲げられて巻装され、巻線３の端部は支持部６ｄの外側面６ｃと同一面になっており、外側面６ｃから突出せず、また、切断された支持部６ｄ（切断片）が薄皮一枚で端子受部６に付着した状態になることもなく、外側面６ｃはきれいな状態になっている。
【００１８】
上記のような構造を有する電動機固定子の製造方法について説明する。
【００１９】
図９（ａ）、（ｂ）に示すように、固定子鉄心２の端面２ａに端子板５を取り付けて端面２ａに端子受部６を設け、巻線３が巻線収容部６ａを貫通するように挿入し、支持部６ｄで支持させる。さらに、図８に示し図９には図示しないが、圧接端子７を巻線圧接部７ｃから、圧接端子収容部を兼ねた巻線収容部６ａに挿入し、巻線３を巻線用溝７ｄに挿入して圧接、接続し、さらに、巻線圧接部７ｃが係合溝６ｂに圧入係合して、圧接端子７が端子受部６に取り付けられる。この巻線３の巻線用溝７ｄへの圧入過程において、巻線用溝７ｄが巻線３の絶縁被覆を削り、圧接端子７と巻始めの巻線３とが電気的に接続される。
【００２０】
さらに、口出線用溝７ｂに口出線４が挿入され、圧接して同様に圧接端子７と口出線４が電気的に接続される。
【００２１】
しかる後、逃げ用凹部６ｅの幅Ｗ１より小さな幅Ｗ２の切断工具８を外側面６ｃに沿って下ろし、巻線３と同時に支持部６ｄを切断する。
【００２２】
これにより、巻線３の端部と支持部６ｄが外側面６ｃと同一面になる。
【００２３】
この巻線３と支持部６ｄの同時切断過程において、外側面６ｃに切断工具８の幅より幅の広い逃げ用凹部６ｅが設けられているので、切断工具８が外側面６ｃを一緒に削ることなく、支持部６ｄは端子受部６からは確実に切り離される。
【００２４】
これにより、本実施形態に係る電動機固定子を図１に示すような密閉型圧縮機１１に組み込んで使用しても、密閉ケース２内に切断片を持ち込むことがなく、切断片に起因する故障を防止することができ、密閉型圧縮機の信頼性を向上させることができる。
【図面の簡単な説明】
【００２５】
【図１】本発明の一実施形態に係る電動機固定子が用いられた密閉形圧縮機の縦断面図。
【図２】本発明の一実施形態に係る電動機固定子の平面図。
【図３】本発明の一実施形態に係る電動機固定子に用いられる圧接端子の斜視図。
【図４】本発明の一実施形態に係る電動機固定子に用いられる端子受部の平面図。
【図５】本発明の一実施形態に係る電動機固定子に用いられる端子受部のＹ−Ｙ線に沿う断面図。
【図６】本発明の一実施形態に係る電動機固定子に用いられる端子受部のＸ−Ｘ線に沿う断面図。
【図７】本発明に係る電動機固定子に用いられる端子受部の他に実施形態の平面図。
【図８】本発明の一実施形態に係る電動機固定子に用いられる圧接端子を端子受部に取り付けた状態を示す縦断面図。
【図９】（ａ）、（ｂ）は本発明の一実施形態に係る電動機固定子の製造方法を示す説明図。
【図１０】（ａ）、（ｂ）は従来の電動機固定子の製造方法を示す説明図。
【符号の説明】
【００２６】
１…電動機固定子、２…固定子鉄心２ａ…端面、３…巻線、４…口出線、５…端子板、６…端子受部、６ａ…巻線収容部、６ｂ…係合溝、６ｃ…外側面、６ｄ…支持部、６ｄ１…支持面、６ｄ２…下側面、６ｅ…逃げ用凹部、７…圧接端子。
【図１】
2006180575.tif 000003
【図２】
2006180575.tif 000004
【図３】
2006180575.tif 000005
【図４】
2006180575.tif 000006
【図５】
2006180575.tif 000007
【図６】
2006180575.tif 000008
【図７】
2006180575.tif 000009
【図８】
2006180575.tif 000010
【図９】
2006180575.tif 000011
【図１０】
2006180575.tif 000012